(57)【特許請求の範囲】
【請求項１】
内部に中空部を有し、前記中空部の前面が開口された化粧ボード本体と、
前記化粧ボード本体の前面を塞ぐとともに、表裏面に貫通し、前記中空部に開口する複数の開口部を有する表面部材とを備えた吸音化粧ボードであって、
前記化粧ボード本体の前記中空部には、ハニカム形状の中芯材が収納され、
前記表面部材は、前記化粧ボード本体の表面側を装飾する絵柄模様層を含み、
前記化粧ボード本体は、上下の上枠、下枠、左右の側枠を枠組みして形成されて前後面が開放された枠を有し、
前記枠の前記前後面は、前記表面部材と、前記表面部材と異なって前記開口部が無い裏面部材と、により塞がれ、
前記表面部材及び前記裏面部材は、非吸音材である木、樹脂又は金属から構成されて、前記化粧ボード本体の前記中空部は前記複数の開口部のみを介して外部と連通していることを特徴とする吸音化粧ボード。
【請求項２】
前記開口部は、前記吸音化粧ボードの高さ方向である上下に隣接するもの同士が互い違いに形成され、前記吸音化粧ボードの幅方向の中央から外れるようにして形成されていることを特徴とする請求項１に記載の吸音化粧ボード。
【請求項３】
前記表面部材の表面側には、抗ウィルス添加剤が添加された表面保護層が形成され、
前記抗ウィルス添加剤の粒度分布は、複数のピークを持つことを特徴とする請求項１又は請求項２に記載の吸音化粧ボード。
【請求項４】
前記抗ウィルス添加剤は、平均粒径を「φ」（μｍ）とし、最表層の前記表面保護層の厚みを「Ｄ」（μｍ）としたとき、下記の式（１）の関係が成立することを特徴とする請求項３に記載の吸音化粧ボード。
０．５Ｄ≦φ≦２Ｄ  ・・・式（１）
【請求項５】
前記中芯材は、壁部と、前記壁部によって区画され、前記化粧ボード本体の前後方向に貫通する複数の孔とを備え、
前記孔の断面がハニカム形状であり、
前記壁部には、その厚み方向に貫通し、前記孔に開口する穴を設けていることを特徴とする請求項１〜４のいずれか１項に記載の吸音化粧ボード。
【発明の詳細な説明】
【技術分野】
【０００１】
本発明は、例えばテレワークブースに用いることができる吸音化粧ボードに関し、ブース等の密閉空間に適した音環境を提供できる。
【背景技術】
【０００２】
コロナ禍にて、従来のような大人数で会議室等にあつまり、打合せする事はほとんどなくなった。
会議もテレビ会議に変わり、オフィスでもテレワークブースの導入が増えている。
テレワークブースは各社から販売されているが、テレワークブース内の音環境を重視したものはほとんどない。
従来、音環境対策として、音を吸音・散乱させる音響放射構造体（特許文献１）や音響構造体（特許文献２）が知られている。
【０００３】
上記の従来の音響放射構造体は、複数、７本のパイプ（空洞形成部材）から構成されている（特許文献１の段落[００１７]及び図１参照）。
また、上記の従来の音響構造体は、一方向に延在する角筒状の化粧ボード本体が、それらの両端部の位置が一致するようにして、延在方向と垂直な方向に複数、１０個配列された構成となっている（特許文献２の段落[００１１]及び図１参照）。
【先行技術文献】
【特許文献】
【０００４】
【特許文献１】特許第３４７５９１７号公報
【特許文献２】特許第５３２６９４６号公報
【発明の概要】
【発明が解決しようとする課題】
【０００５】
しかし、従来の音響放射構造体（特許文献１）や音響構造体（特許文献２）は、構造が複雑であり、パイプ（空洞形成部材）や、角筒状の化粧ボード本体が外側に露出しているという第一の問題点があった。
また、従来のものは、テレワークブース内の使用を目的にしたものではなく、音のバランスを考え特定の周波数域ではなく、全周波数域をバランスよく吸音しているため、テレワークブース内で問題になる人の声の周波数域の吸音率が高いものではなかったという第二の問題点がある。
【０００６】
一方、テレワークブース内の音の反響を抑制するために、吸音材がある程度必要であるが、吸音材を多くすると、逆に耳に違和感を覚えてしまう欠点がある。
吸音材のみで使用（フェルト単体）している例はあるが、意匠感は良いといえるものではなかった。
なお、テレワークブースは、不特定多数の使用を考慮し、新型コロナウィルス（ＣＯＶＩＤ−１９）の感染予防の必要性も考慮する必要がある。
そこで、本発明は、上記した第一、第二の問題点に鑑み、構造の簡便化、意匠性の向上、並びに自分の出した声の反響の抑制を目的とする。
【課題を解決するための手段】
【０００７】
本発明の一態様に係る吸音化粧ボードは、内部に中空部を有し、前記中空部の前面が開口された化粧ボード本体と、前記化粧ボード本体の前面を塞ぐとともに、表裏面に貫通し、前記中空部に開口する複数の開口部を有する表面部材とを備えた吸音化粧ボードであって、前記化粧ボード本体の前記中空部には、ハニカム形状の中芯材が収納され、前記表面部材は、前記化粧ボード本体の表面側を装飾する絵柄模様層を含むことを特徴とする。
また、本発明の一態様に係る吸音化粧ボードは、前記表面部材の表面側に、抗ウィルス添加剤が添加された表面保護層が形成され、前記抗ウィルス添加剤の添加量が、前記表面保護層の固形分に対して０．２質量％以上１０質量％以下であることを特徴とする。
【０００８】
本発明の一態様に係る吸音化粧ボードは、前記化粧ボード本体の背面側に、前記中空部の後面を塞ぐとともに、前記背面側を装飾する絵柄模様層を含む裏面部材が設けられ、前記裏面部材の表面側には、抗ウィルス添加剤が添加された表面保護層が形成され、前記抗ウィルス添加剤の添加量が、前記表面保護層の固形分に対して０．２質量％以上１０質量％以下であることを特徴とする。
本発明の一態様に係る吸音化粧ボードは、前記中芯材が、壁部と、前記壁部によって区画され、前記化粧ボード本体の前後方向に貫通する複数の孔とを備え、前記孔の断面がハニカム形状であることを特徴とする。
本発明の一態様に係る吸音化粧ボードは、前記壁部に、その厚み方向に貫通し、前記孔に開口する穴を設けていることを特徴とする。
【発明の効果】
【０００９】
本発明の一態様によれば、吸音構造の簡便化及び装飾性の向上、並び例えばテレワークブース内での自分の出した声の反響を抑制できる。
【図面の簡単な説明】
【００１０】
【図１】実施形態１に係わる吸音化粧ボードの断面図であり、化粧ボード本体、表面部材、裏面部材を離して位置させている。同図中、一点鎖線ａで囲んだ表面部材の一部拡大図、一点鎖線ｂで囲んだ裏面部材の一部拡大図である。
【図２】実施形態１に係わる化粧ボード本体の斜視図である。
【図３】実施形態１に係わる中芯材の一部斜視図である。
【図４】実施形態１に係わる表面部材を示し、（ａ）は平面図、（ｂ）側面図、（ｃ）は底面図である。
【図５】実施形態１に係わる化粧ボード本体を示し、（ａ）は平面図、（ｂ）側面図、（ｃ）は底面図である。
【図６】実施形態１に係わる裏面部材を示し、（ａ）は平面図、（ｂ）側面図、（ｃ）は底面図である。
【図７】実施形態１に係わる吸音化粧ボードを示し、（ａ）は平面図、（ｂ）側面図、（ｃ）は底面図である。
【図８】実施例１、比較例１〜比較例３について、オープンブースにおける音響カメラの測定結果を示す図表である。
【図９】実施例１、比較例１〜比較例３について、テレワークブースにおける音響カメラの測定結果を示す図表である。
【図１０】実施例１、比較例１〜比較例３の評価結果を示す図表である。
【発明を実施するための形態】
【００１１】
（実施形態１）
本発明の実施形態について、以下に主として図１を参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、構造等を下記のものに特定するものでない。本発明の技術的思想は、特許請求の範囲に記載された請求項が規定する技術的範囲内であって、種々の変更を加えることができる。
【００１２】
（吸音化粧ボード１０）
図１中、１０は、吸音化粧ボードであり、吸音化粧ボード１０は、例えばテレワークブース等の密閉空間に設置され、雑音を吸音及び音を散乱させて低減し、密閉空間内の音環境の改善するために使用される。
吸音化粧ボード１０は、図１〜３に示すように、大別すると、（１）化粧ボード本体２０、（２）表面部材３０、（３）裏面部材４０、（４）中芯材５０を備える。
なお、吸音化粧ボード１０は、上記（１）〜（４）に限定されず、例えば裏面部材４０に換えて、図示しないが、背面用ボードを使用し、中空部２１の背面を塞いでも良い。また、上記（１）〜（４）については後述する。
【００１３】
（化粧ボード本体２０）
化粧ボード本体２０は、図１、図２及び図５に示すように、内部に中空部２１を有し、中空部２１の前面が開口されたものである。
化粧ボード本体２０は、例えば木製で、大別すると、（１）上下の上枠２２、下枠２３、（２）左右の側枠２４、２５、（３）枠内に前面に位置する前板２６を備える。
なお、化粧ボード本体２０として、木製を例示したが、これに限定されず、図示しないが、例えば樹脂製や金属製でも良い。
化粧ボード本体２０は、上下の上枠２２、下枠２３、左右の側枠２４、２５を枠組みして形成されている。枠の前後面が開放されている。化粧ボード本体２０の前後面は、表面部材３０、裏面部材４０により塞がれ、フラッシュ構造が採用させている。
中空部２１は、上下の上枠２２、下枠２３、左右の側枠２４、２５で四方が囲まれ、前後面が表面部材３０、裏面部材４０により塞がれ、密閉されている。
【００１４】
（化粧ボード本体２０の大きさ）
化粧ボード本体２０の大きさは、テレワークブース内の想定を考慮し、例えば幅３尺（９００ｍｍ）以下としている。
高さに関しても、椅子に座って仕事を行う事を考慮し、机の上に載せて使用するため、人の声を吸収する範囲、例えば高さ９００ｍｍ以下に設定している。
実用例として、大きさ、例えば約高さ８５０ｍｍ×約幅５５０、約厚みは２５ｍｍに設定している。
図５（ａ）〜（ｃ）中、例えば、ａ（８５０ｍｍ）、ｂ（３５ｍｍ）、ｄ（５５０ｍｍ）、ｉ（４０ｍｍ）、ｊ（２１５ｍｍ）、ｋ（４７０ｍｍ）、ｌ（２０ｍｍ）の各寸法をそれぞれ示すものである。
【００１５】
（中芯材５０）
中空部２１内には、図３に示す中芯材５０が収納されている。
中芯材５０は、中空筒形のセル５１を相互に連続させて連結して構成され、ハニカム構造を成している。
セル５１の材質は、例えば紙製であるが、このほか金属、プラスチック、発泡材等の材質が使用できる。
中芯材５０は、例えば段ボールシートを展開した際に異なるサイズのセル５１が、バイアス状の構造になるように連続成型積層した芯材から構成されている。
【００１６】
セル５１は、壁部５２と、壁部５２によって区画され、化粧ボード本体２０の前後方向に貫通する複数の孔５３とを備える。孔５３は、断面が、ハニカム形状である。
孔５３の断面形状は、四角を例示したが、これに限らず、丸、三角、六角のほか、多角形であっても良い。
壁部５２には、その厚み方向に貫通し、孔５３に開口する穴５４を設けている。
穴５４は、例えが５ｍｍ程度の円形に形成している。穴５４により、中芯材５０の接触面積を拡大できる。
なお、穴５４を、壁部５２に１個開けたが、数に限定され、複数個でも良い。
中芯材５０としては、例えば新日本フエザーコア社製の「ダンコア」を使用している。
【００１７】
（中芯材５０の大きさ）
中芯材５０は、吸音したい音の周波数域によって入れる量、種類を変えても良い。
中芯材５０の大きさは、図３中、例えば中芯材５０の長さＬ、幅Ｗ、厚さＣ、セル５１の横幅Ａ、奥行きＢをそれぞれ示すものである。
【００１８】
（表面部材３０、裏面部材４０）
表面部材３０、４０は、例えば厚さ２．５ｍｍ程度の木質製の基材３０ａ、４０ａの片側表面に、接着剤等を用いて、オレフィンシート等の化粧シートを貼り合わせたものである（図１、図４、図６参照）。
なお、化粧シートは、オレフィンシートに限定されず、紙や、塩ビ（ポリ塩化ビニル・ＰＶＣ）等の化粧シートでも良い。表面部材３０、４０の表面を保護する表面保護層３０ｄ、４０ｄは、抗菌・抗ウィルス添加剤が添加された化粧シートであれば良い。また、基材３０ａ、４０ａは、木質に限定されず、プラスチック樹脂板、鋼鈑、アルミ板、板紙等でも良い。さらに、基材３０ａ、４０ａとシートの接着は、接着剤の他に、両面テープ、化粧シートの裏にタック加工しているものを用いても良い。
【００１９】
（表面部材３０）
表面部材３０は、図１及び図４に示すように、化粧ボード本体２０の前面側に位置し、中空部２１にそれぞれ開口する複数、例えば１０個の開口部３１を有する。
また、表面部材３０は、中空部２１の前面を塞ぐとともに、化粧ボード本体２０の表面側を装飾する絵柄模様層３０ｂを含む。
表面部材３０の表面側には、抗ウィルス添加剤が添加された表面保護層３０ｄが形成されている。
表面部材３０は、例えば両面テープなどを使用して、外枠部材５０の前面に固定され、外枠部材５０の開放した前面を塞ぐものである。
【００２０】
（表面部材３０の大きさ）
図４（ａ）〜（ｃ）中、例えば、ａ（８５０ｍｍ）、ｂ（６５ｍｍ）、ｃ（８０ｍｍ）、ｄ（５５０ｍｍ）、ｅ（６２ｍｍ）、ｆ（４３ｍｍ）、ｇ（８０ｍｍ）、ｈ（２．５ｍｍ）の各寸法をそれぞれ示すものである。
（表面部材３０の構造）
表面部材３０は、大別すると、（１）基材３０ａ、（２）絵柄模様層３０ｂ、（３）透明層３０ｃ、（４）表面保護層３０ｄ、（５）接着層３０ｅ、（６）ボード部材３０ｆを備える。
なお、表面部材３０の構成は、（１）〜（６）に限定されず、図示しないが、例えば表面保護層３０ｄと接着層３０ｅとの間にプライマー層を設けたり、表面保護層３０ｄの表面側にエンボス部を設けても良い。また、表面部材３０は、接着層３０ｅやボード部材３０ｆを省いて良い。さらに、（１）〜（６）のついては、後述する。
【００２１】
（開口部３１）
開口部３１は、図１及び図４に示すように、表面部材３０に位置し、中空部２１にそれぞれ開口し、例えば１０個形成されている。
開口部３１は、上下に隣接するもの同士が互い違いに形成されている。また、中空部２１は、吸音化粧ボード１０の幅方向の中央から外れるようにして形成されている。開口部３１の位置は、吸音したい音の周波数域に関連し、周波数域を広げるため、それぞれ位置を異ならせている。
開口部３１は、表面部材３０の表裏面を貫通し、開口部３１の一端部は表面に開口し、
他端部は裏面、すなわち中空部２１に開口している。開口部３１は、例えば直径Φ３０ｍｍの円形に形成されている。
なお、開口部３１として、平面円形を例示したが、これに限定されず、楕円形や方形に形成しても良い。
表面部材３０の裏面には、図１に示すように、開口部３１の位置にメッシュ３２を接着している。メッシュ３２は、開口部３１を通して、埃や塵などが中空部２１内に侵入することを防止する。
【００２２】
（裏面部材４０）
裏面部材４０は、図１及び図６に示すように、化粧ボード本体２０の背面側に位置し、中空部２１を塞ぐ。
裏面部材４０は、表面部材３０と異なり、開口部３１が無い。
裏面部材４０は、化粧ボード本体２０の背面側を装飾する目的で設けられている。
また、裏面部材４０は、表面部材３０と同様に、絵柄模様層４０ｂを含み、その表面側には、抗ウィルス添加剤が添加された表面保護層４０ｄが形成されている。
裏面部材４０は、例えば両面テープなどを使用して、化粧ボード本体２０の背面側に固定される。
図６（ａ）〜（ｃ）中、例えば、ａ（８５０ｍｍ）、ｂ（６５ｍｍ）、ｈ（２．５ｍｍ）の各寸法をそれぞれ示すものである。
【００２３】
裏面部材４０は、表面部材３０と同様に、大別すると、（１）基材４０ａ、（２）絵柄模様層４０ｂ、（３）透明層４０ｃ、（４）表面保護層４０ｄ、（５）接着層４０ｅ、（６）ボード部材４０ｆを備える。
なお、裏面部材４０は、（１）〜（６）に限定されず、図示しないが、例えば表面保護層４０ｄと接着層４０ｅとの間にプライマー層を設けたり、表面保護層４０ｄの表面側にエンボス部を設けても良い。また、裏面部材４０は、接着層４０ｅやボード部材４０ｆを省いて良い。さらに、（１）〜（６）の構成については、表面部材３０と同様であるため、説明を省略する。
【００２４】
（基材３０ａ）
基材３０ａは、表面部材３０の支持体となるものであって、具体的には、オレフィン素材からなる着色シートを用いている。
（絵柄模様層３０ｂ）
絵柄模様層３０ｂは、表面部材３０の表面側を装飾するものである。
すなわち、絵柄模様層３０ｂは、基材３０ａの表面に、印刷方法を用いて形成され、表面部材３０に意匠性を付与する目的で設けられるものである。
印刷方法としては、例えばグラビア印刷法やオフセット印刷方法、凸版印刷方法、フレキソ印刷方法、スクリーン印刷法、インクジェット印刷法、静電印刷法等の各種の印刷方法の適用により形成される。
なお、印刷方法は、上記例示した印刷方法に限定されず、例えば手描き法、墨流し法や、転写法、写真法、電子写真法、感光性樹脂法、真空蒸着法、化学腐蝕法、感熱発色法、放電破壊法等、従来公知の任意の画像形成手段を適用することができる。
【００２５】
絵柄模様層３０ｂの模様の種類は、使用目的や使用者の嗜好等により任意であり、例えば木目柄、石目柄、抽象柄等が一般的である。模様の種類は、上記例示した種類に限定されず、例えば全面ベタ印刷等であっても良い。
印刷方法に用いられる印刷インキとしては、例えば塩酢ビ系インキ（シアン、マゼンタ、イエロー）を用いている。
なお、印刷インキとしては、塩酢ビ系インキを例示したが、これに限定されず、例えば有機又は無機の染料又は顔料等の着色剤を、体質顔料、充填材、粘着付与剤、可塑剤、安定剤、分散剤、消泡剤、レベリング剤、界面活性剤、乾燥剤等の適宜の添加剤や、溶剤又は希釈剤等とともに、合成樹脂等からなる結着剤中に分散してなるものである。
【００２６】
（透明層３０ｃ）
透明層３０ｃは、絵柄模様層３０ｂの表面に積層され、透明であり、表面部材３０の表面から絵柄模様層３０ｂが透けて見える。
透明層３０ｃは、透明熱可塑性樹脂であり、透明熱可塑性樹脂に、紫外線吸収剤と、ヒンダードアミン系光安定剤とを添加することが好ましい。
上記透明熱可塑性樹脂の種類や、添加する紫外線吸収剤の種類は、特に限定しない。
【００２７】
（表面保護層３０ｄ）
表面保護層３０ｄは、表面部材３０の表面側に位置し、抗ウィルス添加剤が添加されたものである。
抗ウィルス添加剤の添加量は、表面保護層３０ｄの固形分に対して０．２質量％以上１０質量％以下である。
抗ウィルス添加剤の添加量が、０．２質量％未満の場合は、効果が発現せず、又、１０質量％を超える場合は、膜の機械強度が低下するおそれがある。
表面保護層３０ｄは、表面部材３０の表面に耐磨耗性や耐水性等の表面物性を付与する目的で設けられるものである。
表面保護層３０ｄは、透明熱可塑性樹脂であり、透明熱可塑性樹脂に、紫外線吸収剤と、ヒンダードアミン系光安定剤とが添加されている。
上記透明熱可塑性樹脂の種類や、紫外線吸収剤の種類は、特に限定されない。
【００２８】
（接着層３０ｅ）
接着層３０ｅは、表面部材３０の裏面側に位置し、後述するボード部材３０ｆに接着するためのものである。
（ボード部材３０ｆ）
ボード部材３０ｆは、表面部材３０の支持体となるものである。
【００２９】
（表面保護層３０ｄの抗ウィルス添加剤）
表面保護層３０ｄの抗ウィルス添加剤は、その有効成分が、無機材料により担持されることが好ましい。
これは、抗ウィルス添加剤の有効成分を、無機材料により担持されることで、ウィルス効果の持久性を向上できる。
ここで、「無機材料」としては、「ガラス」を使用するが、「無機材料」はガラスに限定されない。
抗ウィルス添加剤の「有効成分」としては、例えば「銀」が相当するが、これに限定されない。
抗ウィルス添加剤としては、例えば、タイショーテクノス株式会社製の銀系無機添加剤（ビオサイドＴＢ−Ｂ１００）を用いている。
なお、抗ウィルス添加剤として、タイショーテクノス株式会社製品を例示したが、これに限定されず、大日精化工業株式会社製の抗ウィルス剤（ＰＴＣ−ＮＴ  ＡＮＶ添加剤（ＳＴ））や、同じく（ＰＴＣ−ＮＴ  ＡＮＶ添加剤（ＳＴ））を用いても良い。
【００３０】
（抗ウィルス添加剤の平均粒径）
抗ウィルス添加剤は、平均粒径を「φ」とし、最表層の表面保護層３０ｄの厚みを「Ｄ」としたとき、下記の式（１）の関係が成立していることが望ましい。
０．５Ｄ≦φ≦２Ｄ  ・・・式（１）
上記式（１）の関係が成り立つとき、抗ウィルス添加剤との接触面積の拡大、及び抗ウィルス添加剤自体の表面積の拡大により、抗ウィルス効果、すなわち抗ウィルス性を向上できる。
【００３１】
（抗ウィルス添加剤の粒度分布）
抗ウィルス添加剤は、その粒度分布が、１〜５μｍの間と、５〜１０μｍの間との２箇所にピークを持つことが好ましい。
これは、粒度分布に２つのピークを持つことにより、抗ウィルス添加剤との接触面積の拡大、及び抗ウィルス添加剤自体の表面積の拡大ができ、抗ウィルス効果の有する表面部材３０を得ることができる。
【００３２】
（抗ウィルス添加剤の添加量）
抗ウィルス添加剤は、その添加量が、表面保護層３０ｄの固形分に対して０．２質量％以上１０質量％以下であることが望ましい。
これは、抗ウィルス添加剤の添加量が、表面保護層３０ｄの固形分に対して０．２質量％以上１０質量％以下であることにより、抗ウィルス性を有する表面部材３０を得ることができる。
すなわち、０．２質量％未満の場合は、効果が発現せず、又、１０質量％を超える場合は、膜の機械強度への影響が大きい。
【００３３】
（表面保護層３０ｄの添加剤）
表面保護層３０ｄは、化粧シートに機能を付与するためにシリコン成分やフッ素成分、ワックスや減摩剤等が付与された添加剤を添加しても良い。
これは、最表層に、シリコン系成分若しくはフッ素系成分を添加することにより、耐汚染性能が向上し、ウィルスが表面に長期間存在することがなくなるため、結果として抗ウィルス性を向上できる。
表面保護層３０ｄは、抗ウィルス添加剤が含まれる表面保護層３０ｄ中に、界面活性剤を添加することが好ましい。
これは、界面活性剤が添加されていることにより、抗ウィルス添加剤と表面保護層３０ｄのバインダー中との相溶性が良好となり、塗工中の抗ウィルス添加剤の沈殿等による濃度のバラツキを抑制できる。
【００３４】
（実施の形態の第一の特徴点）
実施の形態に係る吸音化粧ボード１０の第一の特徴点は、内部に中空部２１を有し、中空部２１の前面が開口された化粧ボード本体２０と、化粧ボード本体２０の前面を塞ぐとともに、表裏面に貫通し、中空部２１に開口する複数の開口部３１を有する表面部材３０とを備えた吸音化粧ボード１０であって、化粧ボード本体２０の中空部２１には、ハニカム形状の中芯材５０が収納され、表面部材３０は、化粧ボード本体２０の表面側を装飾する絵柄模様層３０ｂを含む。
【００３５】
（第一の特徴点の効果）
第一の特徴点によれば、第一に、化粧ボード本体２０の前後面を表面部材３０、裏面部材４０により塞ぎ、フラッシュ構造を採用し、中空部２１内にハニカム形状の中芯材５０を収納し、表面部材３０には中空部２１内に開口する複数の開口部３１を設けることで、吸音構造を得ることができ、構造を簡便化できる。
第一の特徴点によれば、第二に、中芯材５０を表面部材３０により隠し、又、表面部材３０の絵柄模様層３０ｂにより、吸音化粧ボードの表面を装飾できる。
このため、第一の特徴点によれば、例えばテレワークブースと意匠感を統一することができる。
第一の特徴点によれば、第三に、ハニカム形状の中芯材５０を使用することで、例えばテレワークブース内で、自分の出した声の反響を抑制できる。
このため、音の反響がなくなり、例えばテレビ会議の相手側に音声が明瞭に聞こえるようにできる。
第一の特徴点によれば、第四に、フラッシュ構造を採用しているドアや家具内に、図示しないが、中芯材を収納し、表面材に開口部を開けるだけで、特別な吸音材を使用しなくても吸音可能であり、吸音環境を安価に提供できる。
【００３６】
（実施の形態の第二の特徴点）
実施の形態に係る吸音化粧ボード１０の第二の特徴点は、表面部材３０の表面側に、抗ウィルス添加剤が添加された表面保護層３０ｄが形成され、抗ウィルス添加剤の添加量が、表面保護層３０ｄの固形分に対して０．２質量％以上１０質量％以下である。
（第二の特徴点の効果）
第二の特徴点によれば、不特定多数の人が使用するテレワークブースにおいて、前面に置いておく吸音化粧ボード１０は飛沫があたるが、抗ウィルス層によりウィルスの感染防止が可能である。
抗ウィルス添加剤の添加量が、０．２質量％未満の場合は、効果が発現せず、又、１０質量％を超える場合は、膜の機械強度が低下するおそれがある。
【００３７】
（実施の形態の第三の特徴点）
実施の形態に係る吸音化粧ボード１０の第三の特徴点は、化粧ボード本体２０の背面側に、中空部２１の後面を塞ぐとともに、背面側を装飾する絵柄模様層４０ｂを含む裏面部材４０が設けられ、裏面部材４０の表面側には、抗ウィルス添加剤が添加された表面保護層４０ｄが形成され、抗ウィルス添加剤の添加量が、表面保護層３０ｄの固形分に対して０．２質量％以上１０質量％以下である。
【００３８】
（第三の特徴点の効果）
第三の特徴点によれば、吸音化粧ボード１０の表裏面を変えることで、テレワークブースとの意匠感を統一することが可能である。
また、第三の特徴点によれば、裏面部材４０により、ウィルスの感染防止が可能である。抗ウィルス添加剤の添加量が、０．２質量％未満の場合は、効果が発現せず、又、１０質量％を超える場合は、膜の機械強度が低下するおそれがある。
【００３９】
（実施の形態の第四の特徴点）
実施の形態に係る吸音化粧ボード１０の第四の特徴点は、中芯材５０が、壁部５２と、壁部５２によって区画され、化粧ボード本体２０の前後方向に貫通する複数の孔５３とを備え、孔５３の断面がハニカム形状である。
（第四の特徴点の効果）
第四の特徴点によれば、ハニカム形状を採用し、多孔質素材による音の減衰に加え、中空部２１内で音を反射させ、音の干渉により音圧を減少させることで、一般的な吸音材のみを使用した時に起こる耳への違和感を減少できる。
【００４０】
（実施の形態の第五の特徴点）
実施の形態に係る吸音化粧ボード１０の第五の特徴点は、壁部５２に、その厚み方向に貫通し、孔５３に開口する穴５４を設けている。
（第五の特徴点の効果）
第五の特徴点によれば、孔５３により、中芯材５０の接触面積を拡大できる。
【実施例】
【００４１】
以下に、本発明に係る吸音化粧ボード１０の実施例１及び比較例１〜３について説明する。なお、本発明は、下記の実施例１に限定されない。
（実施例１）
実施例１は、枠状の化粧ボード本体２０の前後面に、表面部材３０と裏面部材４０とを接着し、密閉された中空部２１内に中芯材５０を収納し、実施例１に係る吸音化粧ボード１０を製作した。
表面部材３０には、直径３０ｍｍの開口部３１を設けた。
中芯材５０は、ハニカム材として、新日本フエザーコア社製「ダンコア」を用いた。
ハニカム材の壁部５２には、５ｍｍ程度の穴５４を開け、接触面積を大きくした。
吸音化粧ボード１０の大きさは、約高さ８５０ｍｍ×約幅５５０であり、約厚みは２５ｍｍに設定した。
吸音化粧ボード１０は、所定の位置（オープンブース、テレワークブースの２箇所）に配置した。
【００４２】
（比較例１）
比較例１は、実施例１の吸音化粧ボード１０を使用しなかった。
（比較例２）
比較例２は、実施例１の吸音化粧ボード１０に換えて、他社製の調音パネルを所定の位置に配置した。
（比較例３）
比較例３は、実施例１の吸音化粧ボード１０に換えて、吸音材のみを所定の位置に配置した。
【００４３】
（評価方法）
評価方法として音響テストを行い、（１）音響カメラを用いて音圧レベルを可視化、（２）「相手側に声が聞き取りや易さの確認」を実施した。
音響カメラは、日本音響エンジニアリング製の「ＳｏｕｎｄＧｒａｐｈｙ」を用いた。
音響テスト用いた音響テストは、（ａ）オープンブースと、（ｂ）テレワークブースとにおいて実施した。
オープンブースの大きさは、幅９００ｃｍ、奥行き９００ｃｍ、高さ２４００ｃｍ、天井有り、コの字型である。テレワークブースの大きさは、幅９００ｃｍ、奥行き１３００ｃｍ、高さ１８００ｃｍ、天井有り、密閉型である。
「相手側に声が聞き取りや易さの確認」は、テレワークブース内で、テレビ会議を行い、相手側に声が聞き取りや易さを確認した。
【００４４】
（図８のオープンブース内の設置環境）
評価基準は、図８に示すように、オープンブース内で、音源として、ホワイトノイズを底面に置いたスピーカーより、壁面から６００ｍｍ離れた地点より発信した。
音響カメラは、壁面より１ｍ離れた地点の音圧レベルを測定した。
測定結果は、１０００、２０００、４０００Ｈｚ（１／１Oct,Band）の周波数をそれぞれ可視化した。
各地点音圧レベルを「青＜緑＜黄色＜赤」にて表示した。図８においては、「色」の違いを「ドット」の密度で表現した。「青」は密度が低く、「赤」に向かって密度を高くした。また、色の境目には、参考までに実線を引いた。また、背景は、オープンブースの略図を記載した。
【００４５】
壁面には、実施例１では、実施例１に係る吸音化粧ボード１０を配置し、比較例１では吸音化粧ボード１０を配置せず、比較例２では他社製の調音パネルを配置し、比較例３では吸音材（幅６００×３００ｍｍ）を設置した。
図８は、オープンブースのもので、石膏ボードの上に壁紙を貼ったボードを３枚使用して、コの字型に区切られた区画に、化粧吸音ボード３０、他社製の調音ボード、吸音材を地面に置いて測定をした。両側には何も置いておらず、壁紙を貼った石膏ボードのままである。
【００４６】
（図９のテレワークブース内の設置環境）
図９は、テレワークブース、音源としてホワイトノイズを机の上に置いたスピーカーより、壁面から６００ｍｍ離れた地点より発信した。
音響カメラは、壁面より１ｍ離れた地点の音圧レベルを音響カメラにて測定した。
壁面には、実施例１に係る吸音化粧ボード１０を配置し、比較例１では吸音化粧ボード１０を配置せず、比較例２では他社製の調音パネルを配置し、比較例３では机の両側及び正面に吸音材（幅６００×３００ｍｍ）をそれぞれ設置した。
【００４７】
（図１０のテレワークブース内の設置環境）
図１０は、Ａ地点のテレワークブース（天井無し）の甲と、Ｂ地点のテレワークブース（図９参照）の乙（テレビ会議相手）との間で、テレビ会議を実施した。
乙（テレビ会議相手）から、（１）テレワークブースに入ったときの違和感について感想を聴取した。
甲から、乙の声の聞き取りや易さについて感想を聴取した。
壁面には、実施例１に係る吸音化粧ボード１０を配置し、比較例１では吸音化粧ボード１０を配置せず、比較例２では他社製の調音パネルを配置し、比較例３では机の両側及び正面に吸音材（幅６００×３００ｍｍ）をそれぞれ設置した。
図１０は、テレワークブース内に、実施例１では、化粧吸音ボード３０を設置した時の結果を示している。これに対応する音響カメラの測定結果が、図９になり、両側に吸音材を配置している。
【００４８】
（図８のオープンブース内、観測結果）
実施例１、比較例１〜比較例３の評価結果は、図８〜図１０の通りである。
図８のオープンブース内での観測結果は、次の通りである。
実施例１（吸音化粧ボード１０有り）は、吸音化粧ボード無しとの比較（比較例１）では、計測地点での音圧レベルが２０００Ｈｚ以下で１〜２ｄＢ下がっていることを観測した。
実施例１（吸音化粧ボード１０有り）は、他社品との比較（比較例２）では、人の話し声の周波数領域である１０００Ｈｚ付近では同等の音圧レベル（吸音レベル）を確認した。
実施例１（吸音化粧ボード１０有り）は、吸音材のみとの比較（比較例３）では、吸音材のみの方が人の話し声の周波数域である１０００Ｈｚ音圧レベルが低い事を確認した。
ただし、比較例３（吸音材のみ）の場合には、音が吸われすぎるため、若干の違和感を確認した。
【００４９】
（図９のテレワークブース内、観測結果）
図９のテレワークブース内での観測結果は、次の通りである。
実施例１（吸音化粧ボード１０有り）は、吸音化粧ボード無しとの比較（比較例１）では、計測地点での音圧レベルが２０００Ｈｚ以下で１ｄＢ下がっている事を観測した。
実施例１（吸音化粧ボード１０有り）は、他社品との比較（比較例２）では、人の話し声の周波数領域である１０００Ｈｚ付近では若干音圧レベル（吸音レベル）が劣る。
実施例１（吸音化粧ボード１０有り）は、吸音材のみとの比較（比較例３）では、吸音材のみの方が人の話し声の周波数域である１０００Ｈｚ音圧レベルが低い事を確認した。
ただし、比較例３（吸音材のみ）の場合には、音が吸われすぎるため、若干の違和感を確認した。
四方が囲まれた閉空間であるため、オープンブースに置いた時（図８参照）よりも低周波域（１０００Ｈｚ）の吸音性能が低下した。
【００５０】
（図１０のテレワークブース内、ＴＶ会議相手の聞き取り易さ調査結果）
「テレワークブースに入ったときの違和感」については、吸音材が全く入っていない仕様（比較例１）では、音が反響しテレワーク相手が自分の声を聞き取りにくい。
吸音材が入っていると、テレワークブースの相手は聞き取り易くなる（実施例１、比較例２、３）。
比較例３（吸音材のみ）の場合には、逆にテレワークブース内に入っている人が若干違和感を感じる。
【符号の説明】
【００５１】
１０  吸音化粧ボード
２０  化粧ボード本体
２１  中空部
２２  上枠
２３  下枠
２４、２５  側枠
２６  前板
３０  表面部材
３０ａ  基材
３０ｂ  絵柄模様層
３０ｃ  透明層
３０ｄ  表面保護層
３０ｅ  接着層
３０ｆ  ボード部材
３１  開口部
３２  メッシュ
４０  裏面部材
４０ａ  基材
４０ｂ  絵柄模様層
４０ｃ  透明層
４０ｄ  表面保護層
４０ｅ  接着層
４０ｆ  ボード部材
５０  中芯材
５１  セル
５２  壁部
５３  孔
５４  穴
Ｗ  中芯材の幅
Ｌ  中芯材の長さ
Ｃ  中芯材の厚さ
ａ  セルの横幅
ｂ  セルの奥行き
【要約】
【課題】本発明は、例えばテレワークブースに用いることができる吸音化粧ボードに関し、ブース等の密閉空間に適し、吸音構造を簡便化及び装飾性の向上できる。
【解決手段】内部に中空部２１を有し、中空部２１の前面が開口された化粧ボード本体２０と、化粧ボード本体２０の前面を塞ぐとともに、表裏面に貫通し、中空部２１に開口する複数の開口部３１を有する表面部材３０とを備えた吸音化粧ボード１０であって、化粧ボード本体２０の中空部２１には、ハニカム形状の中芯材５０が収納され、表面部材３０は、化粧ボード本体２０の表面側を装飾する絵柄模様層３０ｂを含む。表面部材３０の表面側には、抗ウィルス添加剤が添加された表面保護層３０ｄが形成され、抗ウィルス添加剤の添加量が、表面保護層３０ｄの固形分に対して０．２質量％以上１０質量％以下であっても良い。
【選択図】図１【図１】
0006943349.tif 000002
【図２】
0006943349.tif 000003
【図３】
0006943349.tif 000004
【図４】
0006943349.tif 000005
【図５】
0006943349.tif 000006
【図６】
0006943349.tif 000007
【図７】
0006943349.tif 000008
【図８】
0006943349.tif 000009
【図９】
0006943349.tif 000010
【図１０】
0006943349.tif 000011